Podtech/llm-jp-corpus-v4-ja_patent huggingface dataset:
【誤訳訂正書】
【提出日】平成17年7月14日(2005.7.14)
【誤訳訂正１】
【訂正対象書類名】特許請求の範囲
【訂正対象項目名】全文
【訂正方法】変更
【訂正の内容】
【特許請求の範囲】
【請求項１】
（ａ）アミノ酸配列番号２を含むポリペプチドをコードしている核酸、
（ｂ）核酸（ａ）とか、または核酸（ａ）の連続する少なくとも３０個のヌクレオチドを含むその部分とハイブリダイズする核酸、
（ｃ）核酸分子（ａ）または（ｂ）の相補鎖、および
（ｄ）核酸分子（ａ）、（ｂ）または（ｃ）の連続する少なくとも９個のヌクレオチドを含むフラグメント
から選ばれる核酸分子。
【請求項２】
アミノ酸配列番号２を含むポリペプチド、または配列番号２の連続する少なくとも５個のアミノ酸残基を含むポリペプチドをコードしている配列を含む、請求項１記載の核酸分子。
【請求項３】
ヒトＮＴＢ−Ａタンパク質をコードしている、請求項１または２記載の核酸分子。
【請求項４】
請求項１〜３のいずれか一項に記載の核酸分子に相補的であり、それと特異的にハイブリダイズする、核酸プローブ。
【請求項５】
少なくともその一方のプライマーが、請求項１〜３のいずれか一項に記載の核酸分子に相補的であり、それと特異的にハイブリダイズする、一対の核酸プライマー。
【請求項６】
請求項１〜３のいずれか一項に記載のポリヌクレオチドを含むベクター。
【請求項７】
請求項６記載のベクターを含む宿主細胞。
【請求項８】
請求項１〜３のいずれか一項に記載の核酸分子がコードしているアミノ酸配列を有するポリペプチド。
【請求項９】
アミノ酸配列番号２を含むポリペプチド、または配列番号２の連続する少なくとも５個のアミノ酸残基を含むそのフラグメント。
【請求項１０】
請求項６記載のベクターを含み、かつ、請求項８または９記載のポリペプチドを発現する宿主細胞。
【請求項１１】
ポリペプチドを発現する細胞を調製する方法であって、請求項１〜３のいずれか一項に記載の核酸分子、または請求項６記載のベクターをインビトロで細胞に導入する工程と、該ポリペプチドを発現する細胞またはその子孫を選択する工程とを含む方法。
【請求項１２】
請求項８または９記載のポリペプチドに特異的に結合する抗体。
【請求項１３】
抗体を調製する方法であって、請求項８または９記載のポリペプチドをヒトではない哺乳動物に注入する工程と、該哺乳動物の抗体、血清または抗体産生細胞を回収する工程とを含む方法。
【請求項１４】
化合物を選択、スクリーニングまたは特徴付ける方法であって、試験化合物を請求項８または９記載のポリペプチドに接触させる工程と、該試験化合物が該ポリペプチドに結合することができる能力を決定する工程とを含む方法。
【請求項１５】
化合物を選択、スクリーニングまたは特徴付ける方法であって、試験化合物を請求項１０記載の宿主細胞に接触させる工程と、該試験化合物が該ポリペプチドに結合することができる能力を決定する工程とを含む方法。
【請求項１６】
化合物を選択、スクリーニングまたは特徴付ける方法であって、試験化合物を、ＮＴＢ−Ａに特異的な抗体の存在下でＮＫ細胞に接触させる工程と、該ＮＫ細胞の細胞溶解活性を測定することによって該試験化合物の活性を決定する工程とを含む方法。
【請求項１７】
化合物を選択、スクリーニングまたは特徴付ける方法であって、試験化合物を、ＮＴＢ−Ａポリペプチドの結合パートナーの存在下で該ポリペプチドに接触させる工程と、該試験化合物が該ＮＴＢ−Ａポリペプチドと該結合パートナーとの相互作用を調整できる能力を評価する工程とを含む方法。
【請求項１８】
化合物を選択、スクリーニングまたは特徴付ける方法であって、（ｉ）試験化合物がＮＴＢ−Ａポリペプチドに結合できる能力を決定する工程と、（ii）工程（ｉ）で選ばれた試験化合物が、ＮＫ細胞が介在する標的細胞の溶解を調節（たとえば遮断、緩和または刺激）できる能力を決定する工程とを含む方法。
【請求項１９】
対象者における免疫機能を調節する医薬の製造におけるＮＴＢ−Ａポリペプチドの活性を調節する化合物の使用。
【請求項２０】
対象者におけるＮＫ細胞の活性を調節する医薬の製造におけるＮＴＢ−Ａポリペプチドの活性を調節する化合物の使用。
【請求項２１】
ＮＴＢ−Ａの活性を調節する化合物と、薬学的に許容され得るビヒクルまたは担体とを含む医薬組成物。
【請求項２２】
ＮＴＢ−Ａポリペプチドを調節する化合物と、２Ｂ４受容体を調節する化合物とを、併用、逐次使用または分離使用のために含む医薬組成物。
【請求項２３】
ＮＴＢ−Ａ活性を阻害または低減する化合物、好ましくは抗体と、２Ｂ４活性を阻害または軽減する化合物、好ましくは抗体とを含む、請求項２２記載の方法。
【請求項２４】
対象者における機能不全（またはそれを発症する危険性）を検出する方法であって、該対象者に由来するサンプル中のＮＴＢ−Ａ遺伝子もしくはＲＮＡの突然変異もしくは変化の存在を決定する工程、またはＮＴＢ−Ａポリペプチドの存在もしくは量を決定する工程を含む方法。
【手続補正書】
【提出日】平成16年7月27日(2004.7.27)
【手続補正１】
【補正対象書類名】特許請求の範囲
【補正対象項目名】全文
【補正方法】変更
【補正の内容】
【特許請求の範囲】
【請求項１】
流動性材料を椎間板空間内へ注入するための装置であって、
隣接する椎骨を椎間板空間まで伸延させる構造とされた対向する面を有する伸延部材であって、基端と末端部分とを含み、少なくとも前記末端部分が、前記椎間板空間内に配置されるような構造とされた伸延部材と、
前記基端と前記末端部分との間に形成された流体通路であって、前記基端と前記末端部分とに孔を形成している流体通路と、
前記伸延部材を、流体が流れるように前記流動性材料の供給源に接続するために、前記伸延部材の前記基端に関連付けられた嵌合部材と、を含む装置。
【請求項２】
請求項１に記載の椎間板空間内へ流動性材料を注入するための装置であって、
内部を貫通して内腔を形成している細長いカニューレを更に含み、同カニューレは、一端に、前記伸延部材の前記嵌合部材に液密結合する構造とされた第１の嵌合部を含み、反対側の端部に、前記流動性材料の供給源に液密結合する構造とされた第２の嵌合部を含んでいる、装置。
【請求項３】
請求項１に記載の椎間板空間内へ流動性材料を注入するための装置であって、
前記流体通路が、前記伸延部材の前記末端部分に複数の孔を形成している、装置。
【請求項４】
請求項３に記載の椎間板空間内へ流動性材料を注入するための装置であって、
前記流体通路が、前記伸延部材の前記基端から前記末端部分まで伸長している細長い通路であり、
前記複数の孔が、前記細長い通路の長さに沿った孔と、前記細長い通路に対して横切る複数の孔と、を含んでいる装置。
【請求項５】
請求項１に記載の椎間板空間内へ流動性材料を注入するための装置であって、
前記伸延部材が、前記流体通路とは別個に出口孔を形成している、装置。
【請求項６】
請求項１に記載の椎間板空間内へ流動性材料を注入するための装置であって、
前記伸延部材が、生体再吸収性材料によって作られている、装置。
【請求項７】
椎間板の線維輪を貫通して形成された穴を介して椎間板空間内へ直に流動性材料を密封可能に導入するための装置であって、
前記穴を密封するために同穴に隣接して前記線維輪と協働可能に係合するための密封部材と、
前記流動性材料がその中を流れるための通路を有するチューブであって、前記密封部材を貫通して同密封部材と協働して密封係合する構造とされたチューブと、を含む装置。
【請求項８】
請求項７に記載の装置であって、
前記チューブは、その中を貫通して延びている内側内腔を有するカニューレによって形成されている、装置。
【請求項９】
請求項８に記載の装置であって、
前記密封部材が前記カニューレ上に設けられている、装置。
【請求項１０】
請求項９に記載の装置であって、
前記密封部材が前記カニューレの少なくとも一部分と一体化されている、装置。
【請求項１１】
請求項９に記載の装置であって、
前記密封部材が前記カニューレ上に設けられた別個の構成部品である、装置。
【請求項１２】
請求項１１に記載の装置であって、
前記密封部材が複数の弾性リングを含んでいる、装置。
【請求項１３】
椎間板の線維輪を貫通して形成された穴を介して椎間板空間内へ直に流動性材料を密封可能に導入するための装置であって、
基端と、同基端と反対側の末端と、内部を貫通して伸長し且つ前記流動性材料を受け入れ且つ通過させるための内腔とを有する概して細長いカニューレであって、前記末端は、前記線維輪に形成された前記穴内に入ることができる形状とされているカニューレと、
前記カニューレの前記末端に設けられ、前記穴によって形成された線維輪の表面と密封可能に係合して密封を付与する密封部材と、を含む装置。
【請求項１４】
請求項１３に記載の装置であって、
前記密封部材が前記カニューレの少なくとも一部分と一体化されている、装置。
【請求項１５】
請求項１３に記載の装置であって、
前記密封部材が前記カニューレ上に設けられた別個の構成部品である、装置。
【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
骨折した骨の中に移植される固定ピンを安定させる装置において、前記固定ピンは、第一部分と、第二部分と、前記第一部分と前記第二部分の間の曲げ部とを有し、前記装置は、管状近部と、複数の弾性捕捉部を備えた開放面を有する通路を有する遠部とを有するスリーブを備え、前記近部は、前記固定ピンの前記第一部分を受容するように寸法決めされている、骨折した骨の中に移植される固定ピンを安定させる装置。
【請求項２】
前記捕捉部は、前記固定ピンの前記曲げ部と少なくとも部分的に係合するのに適している請求項１に記載の装置。
【請求項３】
前記遠部は、最遠のカッティングエッジを有している請求項１に記載の装置。
【請求項４】
前記遠部は、前記カッティングエッジと前記捕捉部の間において傾斜部分を有している請求項２に記載の装置。
【請求項５】
複数の対の前記捕捉部が、前記通路の前記開放面に沿って長手方向に配置されている請求項１に記載の装置。
【請求項６】
複数の前記捕捉部は、傾斜部分を有している請求項１に記載の装置。
【請求項７】
前記スリーブの前記近部に連結されている把手部をさらに備えている請求項１に記載の装置。
【請求項８】
前記管状近部は、約１．６ｍｍ（約０．０６２インチ）の内径を有する請求項１に記載の装置。
【請求項９】
第一部分と、第二部分と、前記第一部分と前記第二部分の間の曲げ部とを有する固定ピンを安定させる固定装置において、前記固定装置は、
ａ）前記固定ピンの前記第一部分を受容する第一手段と、
ｂ）前記固定ピンの前記曲げ部を固定可能に保持する第二手段と、
ｃ）骨を切る第三手段とを備えており、
前記第一手段と前記第二手段と前記第三手段は一体の構造物を有している固定装置。
【請求項１０】
前記曲げ部は、前記第一部分と前記第二部分の間において９０°〜１１０°の角度を形成している請求項９に記載の固定装置。
【請求項１１】
前記第二手段は、前記第三手段に関して複数の位置の一つにおいて前記固定ピンの前記第二部分を固定可能に保持している請求項９に記載の固定装置。
【請求項１２】
前記第二手段は、前記ピンの長手方向の移動及び回転運動の両方を実質的に防いでいる請求項９に記載の固定装置。
【請求項１３】
前記一体の構造物は、一つの管状要素である請求項９に記載の固定装置。
【請求項１４】
ａ）管状近部と、少なくとも一つの固定部を備えた開放面を有する通路を有する遠部とを有する固定装置と、
ｂ）互いに関して角度の付いた、第一部分及び第二部分を形成している曲げ部を有する固定ピンとを備えており、
前記ピンの前記第一部分は、前記管状部内において少なくとも部分的に延びており、前記曲げ部は、前記スリーブに関して前記固定ピンの前記長手方向の移動及び前記回転運動が実質的に防がれるように、前記少なくとも１つの固定部の中の少なくとも１つの中で延びている、固定装置と固定ピンの組立体。
【請求項１５】
前記少なくとも１つの固定部の各々は、複数の捕捉部を有している請求項１４に記載の組立体。
【請求項１６】
前記遠部は、最遠のカッティングエッジを有している請求項１４に記載の組立体。
【請求項１７】
前記遠部は、前記カッティングエッジと前記捕捉部の間においてガイド部を有している請求項１６に記載の組立体。
【請求項１８】
ｃ）前記固定装置の切断端部を覆って位置決めされるのに適しているキャップをさらに備えている請求項１４に記載の組立体。
【手続補正書】
【提出日】平成17年8月5日(2005.8.5)
【手続補正１】
【補正対象書類名】特許請求の範囲
【補正対象項目名】全文
【補正方法】変更
【補正の内容】
【特許請求の範囲】
【請求項１】
hSMMyHCポリペプチドをコードする単離された核酸配列であって、ポリペプチドが、以下の特性：（i）ポリペプチドの活性がATPアーゼ機能またはアクチンを結合する能力を含み、かつ（ii）ポリペプチドが、配列比較アルゴリズムを使用して測定される場合に、配列番号：2；配列番号：4；配列番号：6；配列番号：8；配列番号：10；配列番号：12；または配列番号：14と、70％より高い配列同一性を有するアミノ酸配列を有する、という特性を有する、核酸配列。
【請求項２】
請求項1に記載の単離された核酸配列であって、ここで、核酸が、配列番号：1；配列番号：3；配列番号：5；配列番号：7；配列番号：9；配列番号：11；もしくは配列番号：13の配列またはこれらの配列に対して相補的な配列を有する核酸に対して、ストリンジェントなハイブリダイゼーション条件下で選択的にハイブリダイズする、核酸配列。
【請求項３】
hSMMyHCポリペプチドをコードする核酸を含む発現ベクターであって、ここでこのタンパク質が、以下の特性：（i）このタンパク質の活性がATPアーゼ機能またはアクチンを結合する能力を含み、かつ（ii）タンパク質が、配列比較アルゴリズムを使用して測定される場合に、配列番号：2；配列番号：4；配列番号：6；配列番号：8；配列番号：10；配列番号：12；または配列番号：14に対して、90％より高いアミノ酸配列同一性を有する配列を有する、という特性を有する、発現ベクター。
【請求項４】
請求項３に記載のベクターでトランスフェクトした宿主細胞。
【請求項５】
単離されたhSMMyHCポリペプチドであって、このタンパク質が、配列比較アルゴリズムを使用して測定される場合に、配列番号：2；配列番号：4；配列番号：6；配列番号：8；配列番号：10；配列番号：12；または配列番号：14に対して、90％より高いアミノ酸配列同一性を有する、ポリペプチド。
【請求項６】
hSMMyHCポリペプチドの調節因子をスクリーニングするための方法であって、以下の工程：
（1）生物学的に活性型hSMMyHCポリペプチドを提供する工程、ここで、ポリペプチドが以下の特性：（i）ATPアーゼ機能またはアクチンを結合する能力を含む活性；および（ii）配列比較アルゴリズムを使用して測定される場合に、配列番号：2；配列番号：4；配列番号：6；配列番号：8；配列番号：10；配列番号：12；または配列番号：14に対して、90％より高いアミノ酸配列同一性を有する配列、を有し；
（2）試験濃度および対照濃度において、生物学的に活性型hSMMyHCポリペプチドを候補薬物とともに接触させる工程；ならびに
（3）hSMMyHCポリペプチド活性のレベルをアッセイする工程、ここでhSMMyHCポリペプチド活性が、アクチン結合活性またはATPアーゼ活性からなる群より選択され、試験濃度と対照濃度との間の活性の変化が調節因子を示す、
を包含する、方法。
【請求項７】
スクリーニングが、ハイスループットスクリーニングの一部としてマルチウェルプレート中で行われる、請求項６に記載の方法。
【請求項８】
配列番号：1；配列番号：3；配列番号：5；配列番号：7；配列番号：9；配列番号：11；もしくは配列番号：13の配列またはこれらの配列に対して相補的な配列を有するヌクレオチドと80％より高い配列同一性を有する配列を含む、単離された核酸。
【手続補正書】
【提出日】平成16年8月9日(2004.8.9)
【手続補正１】
【補正対象書類名】特許請求の範囲
【補正対象項目名】全文
【補正方法】変更
【補正の内容】
【特許請求の範囲】
【請求項１】
核酸分子をシークエンシングする方法であって、
ａ）鋳型核酸分子の複数の複製を反応室に導入するステップと、
ｂ）ポリメラーゼ中のヌクレオチド前駆体から相補の核酸分子を合成するステップと、
ｃ）表面増強ラマン散乱、表面増強共鳴ラマン散乱、誘導ラマン散乱、逆ラマン、誘導ゲイン・ラマン分光法、ハイパーラマン散乱、またはコヒーレント反ストークスラマン散乱によって前記相補の核酸分子へのヌクレオチド前駆体の取込みの順序を監視するステップと、
ｄ）相補核酸分子へのヌクレオチド前駆体の取込みの順序から前記鋳型核酸分子の配列を決定するステップと
を備え、
標識分子が、前記ヌクレオチド前駆体のそれぞれに接続される、
方法。
【請求項２】
前記ポリメラーゼがＤＮＡポリメラーゼである、請求項１に記載の方法。
【請求項３】
プライマを添加するステップを更に備え、
前記プライマが、前記鋳型核酸分子の一部に対してその配列が相補的である、請求項２に記載の方法。
【請求項４】
前記プライマが、前記鋳型核酸分子の３’末端に対して相補的である、請求項３に記載の方法。
【請求項５】
前記鋳型核酸分子が、固定化表面に付着される、請求項１に記載の方法。
【請求項６】
前記鋳型核酸分子が、リンカー・アームで固定化表面に付着される、請求項５に記載の方法。
【請求項７】
前記プライマが、固定化表面に付着される、請求項３に記載の方法。
【請求項８】
各々の種類のヌクレオチド前駆体が、識別可能な標識分子に付着する、請求項１に記載の方法。
【請求項９】
前記標識分子が、ＴＲＩＴ（イソチオシアン酸テトラメチルローダミン）、ＮＢＤ（７−ニトロベンゾ−２−オキサ−１，３−ジアゾール）、テキサスレッド染料、フタール酸、テレフタル酸、イソフタル酸、クレシルファーストバイオレット染料、クレシルブルーバイオレット染料、ブリリアントクレシルブルー染料、パラアミノ安息香酸、エリトロシン、アミノアクリジン、シアン化物、チオール、塩素、臭素、メチル、リン、硫黄およびカーボンナノチューブからなる群から選択される、請求項８に記載の方法。
【請求項１０】
前記標識分子が、ＴＲＩＴ（イソチオシアン酸テトラメチルローダミン）、ＮＢＤ（７−ニトロベンゾ−２−オキサ−１，３−ジアゾール）、テキサスレッド染料、フタール酸、テレフタル酸、イソフタル酸、クレシルファーストバイオレット染料、クレシルブルーバイオレット染料、ブリリアントクレシルブルー染料、パラアミノ安息香酸、エリトロシン、アミノアクリジン、シアン化物、チオール、塩素、臭素、メチル、リン、硫黄およびカーボンナノチューブからなる群から選択される、請求項１に記載の方法。
【請求項１１】
前記ポリメラーゼが、ＤＮＡポリメラーゼ、ＲＮＡポリメラーゼまたはリバーストランスクリプターゼである、請求項１に記載の方法。
【請求項１２】
前記反応室の表面が、銀、金、白金、銅またはアルミニウムによって被覆される、請求項１に記載の方法。
【請求項１３】
前記反応室の被覆された前記表面が、検出ユニットと相対している、請求項１２に記載の方法。
【手続補正２】
【補正対象書類名】明細書
【補正対象項目名】０００２
【補正方法】変更
【補正の内容】
【０００２】
ヒトゲノム解析計画の出現によって、核酸（例えばデオキシリボ核酸（ＤＮＡ）およびリボゾームリボ核酸（ＲＮＡ））をシークエンシングするための改良された方法が開発される事が必要とされてきた。遺伝情報は、染色体に形成されるＤＮＡの非常に長い分子の形で格納される。ヒトゲノムの２３組の染色体は、約３０億の塩基対を含むＤＮＡの塩基配列である。このＤＮＡの塩基配列情報は、各々の個体の特性（例えば、身長、目の色、および民族性）を決定する。多くの普通の疾患、例えばガン、嚢胞性繊維症、鎌状赤血球貧血および筋ジストロフィーは、少なくともその一部がＤＮＡの塩基配列の相違に基づく。
【特許文献１】米国特許出願公開第２００２／０１０２５９５号明細書
【手続補正書】
【提出日】平成17年10月19日(2005.10.19)
【手続補正１】
【補正対象書類名】特許請求の範囲
【補正対象項目名】全文
【補正方法】変更
【補正の内容】
【特許請求の範囲】
【請求項１】
迅速乾燥アッセイ法の形で、核酸を検出、識別および特徴付けするための方法であって、
該迅速乾燥アッセイ法が、
-  試料受け取りゾーン
-  1つまたは複数の配列特異的核酸プローブが固定化されている結合領域を有する分離ゾーン、および
-  結合領域を有する該分離ゾーンの下流の液体吸収ゾーン
を含むクロマトグラフィー材料を含み、
該配列特異的核酸プローブが、ポリマーのリンカーを介して固定化されていることを特徴とし、かつ
(i)二本鎖核酸の場合、検出されるべき核酸を変性し、その後中和する段階、
(ii)穏やかな変性剤を含む流動緩衝液において検出されるべき核酸を該試料受け取りゾーンへ添加する段階、
(iii)検出されるべき核酸が該試料受け取りゾーンから該液体吸収ゾーンの方向へ移動する段階、
(iv)検出されるべき核酸が、分離区画の該結合領域において該配列特異的核酸プローブに接触し、かつハイブリダイズする段階、
(v)検出されるべき核酸に付着した標識によりまたは核酸二本鎖の標識を検出することにより、検出されるべき核酸または検出されるべき核酸の該配列特異的核酸プローブへのハイブリダイゼーションを検出する段階
を含むことをさらに特徴とする方法。
【請求項２】
配列特異的核酸プローブが固着分子に連結されたポリマーのリンカーを介して膜へ固定化されていることを特徴とする、請求項1記載の方法。
【請求項３】
ポリマーのリンカーまたは固着分子をもつポリマーのリンカーが長さが30 nmより大きいことを特徴とする、請求項1または2記載の方法。
【請求項４】
ポリマーのリンカーまたは固着分子をもつポリマーのリンカーが長さが40 nmより大きいことを特徴とする、請求項3記載の方法。
【請求項５】
リンカーがポリチミジンであることを特徴とする、請求項1〜4のいずれか一項記載の方法。
【請求項６】
固着分子がソラレンであることを特徴とする、請求項2〜5のいずれか一項記載の方法。
【請求項７】
検出されるべき核酸がビオチンまたはフルオレセインで標識されていることを特徴とする、請求項1〜6のいずれか一項記載の方法。
【請求項８】
クロマトグラフィー材料がニトロセルロースであることを特徴とする、請求項1〜7のいずれか一項記載の方法。
【請求項９】
方法段階(i)による変性がNaOHで行われ、かつ方法段階(i)による中和がリン酸緩衝液で行われることを特徴とする、請求項1〜8のいずれか一項記載の方法。
【請求項１０】
方法段階(ii)による流動緩衝液がリン酸緩衝液であり、かつ該流動緩衝液に含まれる穏やかな変性剤が、ホルムアミド、DMSO、尿素のうちの1つまたは複数であることを特徴とする、請求項1〜9のいずれか一項記載の方法。
【請求項１１】
検出されるべき核酸が歯周炎関連細菌のゲノム由来の断片である、またはそれに相補的であることを特徴とする、請求項1〜10のいずれか一項記載の方法。
【請求項１２】
配列特異的核酸プローブが、ストリンジェントなハイブリダイゼーション条件下で検出されるべき核酸にハイブリダイズする種特異的配列を有する核酸であることを特徴とする、請求項10記載の方法。
【請求項１３】
配列特異的核酸プローブが、配列番号：1〜29もしくはそれらの断片を含む配列のいずれかから選択される、またはこれらの配列に相補的であることを特徴とする、請求項10〜12のいずれか一項記載の方法。
【請求項１４】
迅速乾燥アッセイ法の形で、請求項1〜13のいずれか一項記載の方法を行うための装置であって、
該迅速乾燥アッセイ法が、
-  試料受け取りゾーン
-  1つまたは複数の配列特異的核酸プローブが固定化されている結合領域を有する分離ゾーン、および
-  結合領域を有する該分離ゾーンの下流の液体吸収ゾーン
を含むクロマトグラフィー材料を含み、
該配列特異的核酸プローブが、ポリマーのリンカーを介して固定化されていることを特徴とする装置。
【請求項１５】
配列特異的核酸プローブが固着分子に連結されたポリマーのリンカーを介して膜へ固定化されていることを特徴とする、請求項14記載の装置。
【請求項１６】
ポリマーのリンカーまたは固着分子をもつポリマーのリンカーが長さが30 nmより大きいことを特徴とする、請求項14または15記載の装置。
【請求項１７】
ポリマーのリンカーまたは固着分子をもつポリマーのリンカーが長さが40 nmより大きいことを特徴とする、請求項14または16記載の装置。
【請求項１８】
リンカーがポリチミジンであることを特徴とする、請求項14〜17のいずれか一項記載の装置。
【請求項１９】
固着分子がソラレンであることを特徴とする、請求項14〜18のいずれか一項記載の装置。
【請求項２０】
クロマトグラフィー材料がニトロセルロースであることを特徴とする、請求項14〜19のいずれか一項記載の装置。
【請求項２１】
クロマトグラフィー材料が4 μmまたはそれ以上の細孔サイズをもつことを特徴とする、請求項14〜20のいずれか一項記載の装置。
【請求項２２】
配列特異的核酸プローブが歯周炎関連細菌のゲノム由来の断片またはそれに相補的な配列にストリンジェントなハイブリダイゼーション条件下でハイブリダイズする核酸であることを特徴とする、請求項14〜21のいずれか一項記載の装置。
【請求項２３】
配列特異的核酸プローブが、配列番号：1〜29もしくはそれらの断片を含む配列のいずれかから選択される、またはこれらの配列に相補的であることを特徴とする、請求項14〜22のいずれか一項記載の装置。
【請求項２４】
核酸を検出、識別および特徴付けするための請求項14〜23のいずれか一項記載の装置の使用。
【請求項２５】
歯周炎関連細菌を検出、識別および特徴付けするための請求項14〜23のいずれか一項記載の装置の使用。
【手続補正書】
【提出日】平成17年10月17日(2005.10.17)
【手続補正１】
【補正対象書類名】特許請求の範囲
【補正対象項目名】請求項１８
【補正方法】変更
【補正の内容】
【請求項１８】
記録可能媒体に格納され、ＦＧＳ映像符号化システムにおける利用のため周波数加重（ＦＷ）行列を生成するプログラムであって、
第１ビットレートで符号化されたサンプル映像フレームのジグザグＤＣＴ走査線位置に対する平均離散コサイン変換（ＤＣＴ）残差の第１プロットを生成する手段と、
前記第１ビットレートの倍数ビットレートで符号化された前記サンプル映像フレームの前記ジグザグＤＣＴ走査線位置に対する平均離散コサイン変換（ＤＣＴ）残差の第２プロットを生成する手段と、
前記第１及び第２プロットの差分曲線を生成する手段と、
前記差分曲線に階段状曲線を一致させる手段と、
前記階段状曲線からマッピングされた重みにより前記ＦＷ行列を構成する手段とを有することを特徴とするプログラム。
【手続補正２】
【補正対象書類名】特許請求の範囲
【補正対象項目名】請求項１９
【補正方法】変更
【補正の内容】
【請求項１９】
請求項１８記載のプログラムであって、前記第１ビットレートはベースレイヤビットレートを有し、前記倍数は前記ベースレイヤビットレートの３倍を有することを特徴とするプログラム。
【手続補正３】
【補正対象書類名】特許請求の範囲
【補正対象項目名】請求項２０
【補正方法】変更
【補正の内容】
【請求項２０】
請求項１８記載のプログラムであって、さらに、
前記階段状曲線から決定された前記重みが前記ＦＧＳ映像符号化システムにおけるビットプレーン数の上限より大きい場合、前記階段状曲線を正規化する手段を有することを特徴とするプログラム。
【手続補正書】
【提出日】平成17年9月13日(2005.9.13)
【手続補正１】
【補正対象書類名】特許請求の範囲
【補正対象項目名】全文
【補正方法】変更
【補正の内容】
【特許請求の範囲】
【請求項１】
ホットメルト接着剤システムの吐出ユニットで使用するためのポンプであって、
入口と、出口と、前記入口と前記出口との間にあるチャンバとを有するポンプハウジングと、
前記ハウジングの内部に摺動可能に配置されたピストンであって、前記ピストンの移動によって、前記入口へ接着剤を吸引し、前記出口から接着剤を吐出するピストンと、
前記入口と前記出口との間にある前記チャンバの中に着脱可能に配置されたフィルタであって、前記入口から前記出口へとホットメルト接着剤がポンプ送出される際に、ホットメルト接着剤の中にある粒子物質を捕獲するような該フィルタとを備えていることを特徴とするポンプ。
【請求項２】
請求項１に記載のポンプであって、前記フィルタはカートリッジに結合されていて、該カートリッジは前記ポンプハウジングに対して着脱可能になっていることを特徴とするポンプ。
【請求項３】
請求項２に記載のポンプであって、前記フィルタは、前記カートリッジに対して着脱可能になっていることを特徴とするポンプ。
【請求項４】
請求項２に記載のポンプであって、前記カートリッジと前記ポンプとがそれぞれ互いに係合可能なネジ部分を有することで、前記カートリッジと前記ポンプとを結合し及び切り離すことができることを特徴とするポンプ。
【請求項５】
ホットメルト接着剤の吐出装置であって、
ホットメルト接着剤を受容するためのタンク内部を形成する少なくともひとつの側壁と底部とを有するタンクと、
ホットメルト接着剤を加熱し及び溶融するために、前記タンクに関連付けられたタンクヒータと、
入口と出口とを有しているマニホールドであって、前記入口は前記タンク内部に連通しているマニホールドと、
前記マニホールドに対して熱的に結合されているマニホールドヒータと、
請求項１から４のいずれか一項に記載したポンプであって、前記マニホールドの出口に結合され、前記タンクから前記マニホールドを通して液体状の接着剤を送出するためのポンプとを備えていることを特徴とするホットメルト接着剤の吐出装置。
【請求項６】
ホットメルト接着剤を加熱して溶融するタンクと、
請求項１から請求項４のいずれか一項に記載したポンプであって、該吐出装置から溶融されたホットメルト接着剤を送出することを特徴とするホットメルト接着剤の吐出装置。
【手続補正書】
【提出日】平成17年7月4日(2005.7.4)
【手続補正１】
【補正対象書類名】特許請求の範囲
【補正対象項目名】全文
【補正方法】変更
【補正の内容】
【特許請求の範囲】
【請求項１】
基材の表面を処理する方法において、基材を、ＵＣＳＴ性質を示すポリマーの溶液と接触させ、そして該ポリマー溶液の温度を下げることにより該ポリマーを層として該基材の表面上に沈積させることを特徴とする方法。
【請求項２】
ポリマーが、ポリスチレン、ポリビニルアルコール、ポリビニルピラゾール、ポリエチレンオキシド、ポリアクリル酸、およびそれらの誘導体を含む群から選択されることを特徴とする、請求項１に記載の方法。
【請求項３】
溶液が、有機溶媒を含有することを特徴とする、請求項１または２に記載の方法。
【請求項４】
基材の表面と接触される時の溶液の温度が溶媒中のポリマーのＵＣＳＴより大であり、そして該溶液の温度が次いでＵＣＳＴ範囲内の値またはそれ以下に下げられることを特徴とする、請求項１から３のいずれか一項に記載の方法。
【請求項５】
溶液が冷却される温度が、Ｔ＝ＵＣＳＴ＋５℃からＴ＝ＵＣＳＴ−３０℃の範囲にあることを特徴とする、請求項１から３のいずれか一項に記載の方法。
【請求項６】
温度範囲が、Ｔ＝ＵＣＳＴからＴ＝ＵＣＳＴ−１０℃であることを特徴とする、請求項５に記載の方法。
【請求項７】
温度が、基材の表面上へのポリマーの沈積が達成されるまで低レベルに保たれることを特徴とする、請求項１から６のいずれか一項に記載の方法。
【請求項８】
ポリマーの沈積に続いて、基材の被覆表面を、該ポリマーに対する溶媒で、該溶媒中の該ポリマーのＵＣＳＴマイナス１０℃に等しいまたはそれ以下の温度にて洗浄することを特徴とする、請求項１から７のいずれか一項に記載の方法。
【請求項９】
ポリマーの沈積に続いて、基材と溶液を短期間ＵＣＳＴより高い温度に保ち、そしてその後に該基材と該溶液を互いに分離することを特徴とする、請求項１から８のいずれか一項に記載の方法。
【請求項１０】
温度を増加する時に達せられる温度が、ＵＣＳＴより５℃より高くないことを特徴とする、請求項９に記載の方法。
【請求項１１】
基材の表面上へのポリマーの沈積中にまたは沈積に続いて、該ポリマーを活性基または化学反応により固定することを特徴とする、請求項１から１０のいずれか一項に記載の方法。
【請求項１２】
ポリマーの固定化に続いて、基材の表面を洗浄することを特徴とする、請求項１１に記載の方法。
【請求項１３】
固定化を、オレフィン基（二重結合）で変性されたポリマーを沈積させそして次いでフリーラジカル的に固定することにより遂行することを特徴とする、請求項１１または１２に記載の方法。
【請求項１４】
基材の表面上へのポリマーの沈積に先だって、該基材の被覆表面の濡れ角に選択的に影響を与えるように該ポリマーを変性することを特徴とする、請求項１から１３のいずれか一項に記載の方法。
【請求項１５】
ポリマーの変性を、無極性アルキル基でもってあるいは極性基、またはイオン基でもって遂行することを特徴とする、請求項１４に記載の方法。
【請求項１６】
ポリマーの変性を、ヒドロキシルもしくはアミノ基から選択される極性基、またはカルボン酸基もしくはスルホ基から選択されるイオン基でもって遂行することを特徴とする、請求項１４に記載の方法。
【請求項１７】
基材の表面上へのポリマーの沈積に続いて、該ポリマーを変性しそして架橋することを特徴とする、請求項１５または１６に記載の方法。
【請求項１８】
基材が粒子状基材であり、そしてポリマーが１，０００から５０，０００ｇ／ｍｏｌのモル質量を有することを特徴とする、請求項１から１７のいずれか一項に記載の方法。
【請求項１９】
基材が平基材であり、そしてポリマーが１，０００から５００，０００ｇ／ｍｏｌのモル質量を有することを特徴とする、請求項１から１７のいずれか一項に記載の方法。
【請求項２０】
粒子状基材が、顔料、充填剤、繊維、ナノ粒子、およびコロイドまたはミセル系の粒子を含む群から選択されることを特徴とする、請求項１８に記載の方法。
【請求項２１】
基材の表面を、ポリマーのナノ層で被覆することを特徴とする、請求項１から２０のいずれか一項に記載の方法。
【請求項２２】
ＵＣＳＴポリマーが、それらのＵＣＳＴが基材の使用温度より高いように選択されることを特徴とする、請求項１から２１のいずれか一項に記載の方法。
【請求項２３】
ＵＣＳＴポリマーが、それらのＵＣＳＴが室温より少なくとも１０℃高いように選択されることを特徴とする、請求項１から２１のいずれか一項に記載の方法。
【請求項２４】
ＵＣＳＴポリマーが、それらのＵＣＳＴが室温より少なくとも１５℃高いように選択されることを特徴とする、請求項１から２１のいずれか一項に記載の方法。
【請求項２５】
ポリマーで被覆された表面を有する基材であって、請求項１から２４のいずれか一項に記載の方法により生成された基材。
【請求項２６】
被膜が、ナノ層であることを特徴とする、請求項２５に記載の基材。
【請求項２７】
基材が、金属基材であることを特徴とする、請求項２５または２６に記載の基材。
【請求項２８】
基材が、鋼、亜鉛メッキ鋼、アルミニウムまたはアルミニウム合金から作られていることを特徴とする、請求項２７に記載の基材。
【請求項２９】
基材が、顔料、充填剤、繊維、またはラメラ粒子、ナノ粒子、およびコロイドもしくはミセル系の粒子を含む群から選択された粒子状基材であることを特徴とする、請求項２５から２８のいずれか一項に記載の基材。
【手続補正書】
【提出日】平成17年10月24日(2005.10.24)
【手続補正１】
【補正対象書類名】特許請求の範囲
【補正対象項目名】全文
【補正方法】変更
【補正の内容】
【特許請求の範囲】
【請求項１】
フルオロポリマーを含むフルオロポリマー層を基材の少なくとも一つの表面上に有する
前記基材を含む材料であって、前記基材および／または前記フルオロポリマー層がヒドリド官能基ＭＨ（ここで、Ｍは、Ｓｉ、Ｇｅ、ＳｎおよびＰｂから選択される。）を含む有
機化合物を含む材料。
【請求項２】
前記基材に対して前記フルオロポリマーを反応させることにより請求項１に記載の材料
から得られた反応生成物を含む物品。
【請求項３】
基材にフルオロポリマーを接着させる方法であって、ヒドリド官能基ＭＨ（ここで、Ｍ
は、Ｓｉ、Ｇｅ、ＳｎおよびＰｂから選択される。）を含むヒドリド基を有する有機化合
物の存在下で前記基材に対して前記フルオロポリマー層を反応させることを含む方法。
【請求項４】
（ａ）フルオロポリマー、
（ｂ）ポリヒドロキシ化合物を含む硬化組成物、および
（ｃ）ヒドリド官能基ＭＨ（ここで、Ｍは、Ｓｉ、Ｇｅ、ＳｎおよびＰｂから選択され
る。）を含む有機化合物、を含むフルオロポリマー組成物。
【請求項５】
（ｃ）塩素、臭素および／または沃素原子を含む熱可塑性溶融加工性半結晶質フルオロ
ポリマー、および
（ｄ）ヒドリド官能基ＭＨ（ここで、Ｍは、Ｓｉ、Ｇｅ、ＳｎおよびＰｂから選択され
る。）を含む有機化合物
を含むフルオロポリマー組成物。
【手続補正書】
【提出日】平成17年10月13日(2005.10.13)
【手続補正１】
【補正対象書類名】特許請求の範囲
【補正対象項目名】全文
【補正方法】変更
【補正の内容】
【特許請求の範囲】
【請求項１】
プライマー層および少なくとも一層の付加的な層を含む熱成形性フィルムであって、前記プライマー層が半結晶質領域および極性領域を有する架橋された接着剤ポリマーを含み、前記架橋接着剤ポリマーが、架橋されていないほかは同じ接着剤ポリマーの最大伸び時引張強度より低い最大伸び時引張強度を有する熱成形性フィルム。
【請求項２】
前記付加的な層は装飾層を含み、前記プライマー層は前記装飾層に隣接して配置される、請求項１に記載の熱成形性フィルム。
【請求項３】
前記装飾層は金属含有層を含む、請求項２に記載の熱成形性フィルム。
【請求項４】
エチレン性不飽和を有するオレフィン系モノマーである第１のモノマーと、アクリル酸、Ｃ1〜Ｃ20アクリル酸エステル、アクリル酸塩、（メタ）アクリル酸、Ｃ1〜Ｃ20（メタ）アクリル酸エステル、（メタ）アクリル酸塩またはそれらの組み合わせを含む第２のモノマーとを含む共重合性化合物の反応生成物である架橋接着剤ポリマーを含む少なくとも一層のプライマー層、
装飾層、および
透明保護層、
を含む熱成形性フィルムであって、プライマー層−装飾層−保護層、装飾層−プライマー層−保護層、およびプライマー層−装飾層−プライマー層−保護層から選択される順序で配列された構造を有する熱成形性フィルム。
【請求項５】
熱成形性フィルムを製造する方法であって、
最大伸びでの引張強度を有するとともに半結晶質領域および極性領域を有する接着剤ポリマーを提供する工程と、
前記接着剤ポリマーを架橋させて、架橋された接着剤ポリマーを形成するとともに最大伸びでの前記引張強度を低減する工程と、
前記架橋接着剤ポリマーを含むプライマー層を調製する工程と、
前記プライマー層および少なくとも一層の付加的な層を含む熱成形性フィルムを成形する工程と、
を含む方法。
【手続補正２】
【補正対象書類名】明細書
【補正対象項目名】発明の名称
【補正方法】変更
【補正の内容】
【発明の名称】熱成形性フィルム及びその製造方法
【手続補正書】
【提出日】平成17年10月12日(2005.10.12)
【手続補正１】
【補正対象書類名】特許請求の範囲
【補正対象項目名】全文
【補正方法】変更
【補正の内容】
【特許請求の範囲】
【請求項１】
熱成形可能な非自立性装飾高分子フィルムを提供する工程、
雄型を用いて該高分子フィルムを三次元造形フィルムに成形する工程、
該三次元造形フィルムを該雄型で支持する工程と、該雄型を該雌型に位置整合させる工程と、該三次元造形フィルムから該雄型を分離する工程と、該雄型を取り除く工程とを含む、該三次元造形フィルムを該雄型から雌型へ移動させる工程、および
該雄型を取り除いた後、該フィルムを雌型と接触させながら前記三次元造形フィルムを強化する工程
を含む、三次元物体の形成方法。
【請求項２】
主要表面と副次表面とを有する三次元造形フィルムに成形された非自立性装飾高分子フィルムを含む三次元物体であって、該三次元造形フィルムが、該主要表面全体に実質的に均一な厚さを有し、該副次表面全体の平均厚さが該主要表面全体の平均厚さ未満である、上記三次元物体。
【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
以下のものを含む、患者の体内における身体内使用のための装置：
移植可能な足場；
足場と結合され、かつ患者の体内に治療能力がある薬剤を放出するように構成された、少なくとも1つの治療能力がある薬剤の少なくとも1つの供与源；並びに、
供与源の少なくとも一部を被覆し、かつ非多孔性材料から形成されている、速度制御エレメント層。
【請求項２】
非多孔性材料がパリレンを含む、請求項1記載の装置。
【請求項３】
以下のものを含む、患者の体内における身体内使用のための装置：
移植可能な足場；
約90％未満の結晶化度を有し、かつ足場と結合され、かつ患者の体内で治療能力がある薬剤を放出するように構成された、少なくとも1つの治療能力がある薬剤の少なくとも1つの供与源；および、
供与源の少なくとも一部に隣接して配置され、かつ患者の体に対する治療能力がある薬剤の放出を制御するように構成されている、速度制御エレメント。
【請求項４】
治療能力がある薬剤が約50％未満の結晶化度を有する、請求項3記載の装置。
【請求項５】
以下のものを含む、患者の体内における身体内使用のための装置：
移植可能な足場；
足場と結合され、患者の体内で標的とされた組織部位において治療能力がある薬剤を放出するように構成された、少なくとも1つの治療能力がある薬剤の少なくとも1つの供与源；および、
供与源の少なくとも一部に隣接して配置され、かつ約1.71×10-14g/（cm2s）〜約1.71×10-8g/（cm2s）のフラックス密度の治療能力がある薬剤を実現するように構成されている、速度制御エレメント。
【請求項６】
以下のものを含む、患者の体内における身体内使用のための装置：
移植可能な足場；
足場と結合され、患者の体内で標的とされた組織部位において治療能力がある薬剤を放出するように構成された、少なくとも1つの治療能力がある薬剤の少なくとも1つの供与源；および、
供与源の少なくとも一部に隣接して配置され、かつ患者の体内で治療能力がある薬剤の放出を制御するように構成されている、速度制御エレメント、
装置は、約10％未満の膨張されていない状態の残留応力を有する。
【請求項７】
以下のものを含む、患者の体内における身体内使用のための装置：
移植可能な足場；
足場の少なくとも一部と結合され、かつ患者の体内で治療能力がある薬剤を放出するように構成された、少なくとも1つの治療能力がある薬剤の少なくとも1つの供与源；および、
供与源の少なくとも一部に隣接して配置され、かつ供与源へおよび／または供与源からの材料輸送ができるように十分に大きな少なくとも1つの分断部を含む、速度制御エレメント。
【請求項８】
少なくとも1つの分断部が予め形成された開口部を含む、請求項7記載の装置。
【請求項９】
少なくとも1つの分断部が患者の体内で形成される、請求項7記載の装置。
【請求項１０】
輸送が、供与源への天然の体液の、または供与源からの治療能力がある薬剤の、少なくとも1つの輸送を含む、請求項7記載の装置。
【請求項１１】
以下のものを含む、患者の体内における身体内使用のための装置：
移植可能な足場；
足場の少なくとも一部と結合され、かつ患者の体内で治療能力がある薬剤を放出するように構成された、少なくとも1つの治療能力がある薬剤の少なくとも1つの供与源；および、
供与源の少なくとも一部に隣接して配置され、かつ機械的な応力または歪力の適用により機械的に変化するように構成された、速度制御エレメント。
【請求項１２】
機械的変化が、機械的破断、表面特性の変化、または多孔率の変化のいずれか一つまたは複数を含む、請求項11記載の装置。
【請求項１３】
機械的応力または歪力が、足場の屈曲、膨張、伸張、圧縮、または移植のいずれか一つまたは複数に際して適用される、請求項11記載の装置。
【請求項１４】
以下のものを含む、患者の体内における身体内使用のための装置：
移植可能な足場；
足場の少なくとも一部と結合され、かつ患者の体内で治療能力がある薬剤を放出するように構成された、少なくとも1つの治療能力がある薬剤の少なくとも1つの供与源；および、
供与源の少なくとも一部に隣接して配置された膨張可能な速度制御エレメント。
【請求項１５】
供与源から治療能力がある薬剤を放出するように、速度制御エレメントが身体内の環境に暴露されることにより膨張する、請求項14記載の装置。
【請求項１６】
金属材料または非金属材料から形成されたステントを含む、請求項1〜15のいずれか一項記載の装置。
【請求項１７】
分解性または非分解性重合体材料から形成されたステントを含む、請求項1〜15のいずれか一項記載の装置。
【請求項１８】
供与源が、マトリックス材料に散在する治療能力がある薬剤を含むマトリックス層を含む、請求項1〜17のいずれか一項記載の装置。
【請求項１９】
供与源が、物質を含有する貯蔵所を含む、請求項1〜17のいずれか一項記載の装置。
【請求項２０】
速度制御エレメントが、非多孔性または多孔性材料から形成される材料を含む、請求項1〜19のいずれか一項記載の装置。
【請求項２１】
速度制御エレメントがパリレン重合体または共重合体を含む、請求項1〜19のいずれか一項記載の装置。
【請求項２２】
速度制御エレメントが、プラズマ沈着された重合体、スパッターされた材料、蒸着された材料、電気メッキを施された金属、電気メッキを施された合金、グロー放電被覆、ポリエチレン、ポリウレタン、シリコーンゴム、セルロース、およびパリレンのいずれか一つを含む、請求項1〜19のいずれか一項記載の装置。
【請求項２３】
患者の体において膨張されていない状態の装置からの治療能力がある薬剤の放出速度が、膨張された状態のものとは異なる、請求項1〜22のいずれか一項記載の装置。
【請求項２４】
足場が、4つの直交表面を定義する矩形の横断切片を有する構造エレメントを含み、治療能力がある薬剤が、全ての表面よりも少なく配置されている、請求項1〜23のいずれか一項記載の装置。
【請求項２５】
足場が、複数の表面を定義する多角形の横断切片を有する構造エレメントを含み、治療能力がある薬剤が、全ての表面よりも少なく配置されている、請求項1〜23のいずれか一項記載の装置。
【請求項２６】
足場の少なくとも一部および供与源の少なくとも一部にわたる基層をさらに含む、請求項1〜25のいずれか一項記載の装置。
【請求項２７】
バルーン膨張可能または自己膨張可能な、請求項1〜26のいずれか一項記載の装置。
【手続補正書】
【提出日】平成17年10月6日(2005.10.6)
【手続補正１】
【補正対象書類名】特許請求の範囲
【補正対象項目名】全文
【補正方法】変更
【補正の内容】
【特許請求の範囲】
【請求項１】
組織を切断する手段を備える切断部材と、
駆動器に加えられた力に応答して切断部材を回転させると同時に並進させるように切断部材に結合される駆動器とを備える外科手術器具。
【請求項２】
駆動器は、切断部材の並進が往復運動を含むように構成される請求項１に記載の器具。
【請求項３】
駆動器は、切断部材に取り付けられた駆動部材を備え、駆動部材は、螺旋溝を備える請求項１に記載の器具。
【請求項４】
駆動器は、溝内に配置された並進部品を備え、駆動部材の回転駆動が、並進部品に対する駆動部材の同時往復運動になる請求項３に記載の器具。
【請求項５】
駆動器は、駆動部材に結合されると共にスロットを区画する内側駆動ハブをさらに備え、駆動部材は、スロット内に収容されると共に駆動部材を内側駆動ハブに回転結合させるキーを備え、駆動部材は、内側駆動ハブと一緒に回転し、内側駆動ハブに対して自由に並進する請求項３に記載の器具。
【請求項６】
螺旋溝は、左ネジの螺旋チャネルからなる請求項３に記載の器具。
【請求項７】
螺旋溝は、右ネジの螺旋チャネルからなる請求項３に記載の器具。
【請求項８】
螺旋溝は、２つの螺旋チャネルからなり、第１の螺旋チャネルは、左ネジの螺旋チャネルであり、第２の螺旋チャネルは、右ネジの螺旋チャネルである請求項３に記載の器具。
【請求項９】
第１の螺旋チャネル及び第２の螺旋チャネルは、連続的な経路を形成する請求項８に記載の器具。
【請求項１０】
切断部材は、駆動部材に取り付けられ、その部材と一緒に回転及び軸方向移動する請求項３に記載の器具。
【請求項１１】
手段は、切断部材の遠位端に面取りされた切断刃からなる請求項１に記載の器具。
【請求項１２】
切断部材の面取りされた刃は、直線の切断刃からなる請求項１１に記載の器具。
【請求項１３】
面取りされた刃は、角度のついた切断刃からなる請求項１１に記載の器具。
【請求項１４】
切断部材を収容する外側チューブ状部材をさらに備える請求項１に記載の器具。
【請求項１５】
外側部材は、外側部材の先端部に近接して配置された切断窓を備える請求項１４に記載の器具。
【請求項１６】
切断窓は、切断部材を組織に露出させる外側部材の開口部からなる請求項１５に記載の器具。
【請求項１７】
切断窓は、Ｕ形の近位端及びサドル形の遠位端を備える請求項１６に記載の器具。
【請求項１８】
切断窓のサドル形の遠位端は、フックを備える請求項１６に記載の器具。
【請求項１９】
並進部品は、
溝内に収容されるフォロワーと、フォロワーを覆うシーリングキャップを備え、フォロワーは、シーリングキャップに対して回転自在である請求項３に記載の器具。
【請求項２０】
フォロワーは、アーチ状のブリッジ形である請求項１９に記載の器具。
【請求項２１】
並進部品は、並進部品が螺旋溝内に配置されると共に駆動部材が回転すると螺旋溝に従って回転するように、駆動部材に結合される請求項３に記載の器具。
【請求項２２】
駆動部材は、駆動部材の外側壁に形成された開口部と、切断部材を取り付けるための内腔とを備える請求項３に記載の器具。
【請求項２３】
駆動部材開口部は、内腔に対して、ある角度に向けられている請求項２２に記載の器具。
【請求項２４】
駆動部材開口部は、駆動部材の内腔に対して約４５度に向けられている請求項２３に記載の器具。
【請求項２５】
切断部材の回転及び並進が同時に起こる間の所定の時点に、駆動部材開口部及び内側駆動ハブ開口部が位置合わせされ、流動体パルスがこれらの開口を通ることが可能になるように、内側駆動ハブに開口部をさらに備える請求項２２に記載の器具。
【請求項２６】
内側駆動ハブは、吸引開口部を備え、内側駆動ハブ開口部は、吸引開口部の遠位端と一体に形成される請求項２５に記載の器具。
【請求項２７】
駆動部材は、平坦部を備える請求項２２に記載の器具。
【請求項２８】
平坦部は、駆動部材開口部に隣接して形成される請求項２７に記載の器具。
【請求項２９】
平坦部及び内側駆動ハブ開口部は、駆動部材開口部と内側駆動ハブ開口部との間に延びる第２の開口部を区画する請求項２８に記載の器具。
【請求項３０】
駆動器は、切断部材に取り付けられると共に螺旋溝を有する駆動部材と、駆動部材に結合されると共に開口部を有する内側駆動ハブとを備え、
駆動部材は、内側駆動ハブ内に配置されると共に、
縦軸に沿って延びると共に縦軸に沿って延びる内腔を区画する中空円筒壁と、円筒壁に形成されると共に内腔と一体となった開口部を備える請求項１に記載の器具。
【請求項３１】
駆動器は、切断部材に取り付けられると共に開口部を有する駆動部材と、駆動部材と一緒に回転すると共に開口部を有する内側駆動ハブとを備え、切断部材の内部、駆動部材開口部及び内側駆動ハブ開口部を有する流動体流出経路は、駆動部材開口部が内側駆動ハブ開口部と位置合わせされるときに形成される請求項１に記載の器具。
【請求項３２】
切断部材は、近位端の切断窓と、切断窓から延びると共に切断窓に連絡する内腔とを備える請求項１に記載の器具。
【請求項３３】
切断窓が開いているときに内腔から吸引開口部への流動体流を制限する制限機構をさらに備える請求項３２に記載の器具。
【請求項３４】
切断部材は、切断部材の絶縁されていない遠位端部に配置されたアクティブ電極とリターン電極を備える請求項１に記載の器具。
【請求項３５】
切断部材のリターン及びアクティブ電極に接続すると共に、切断部材に高周波エネルギーを提供する発電機に接続する電気コネクタをさらに備える請求項３４に記載の器具。